(57)【要約】【課題】  コネクタ結合用アダプタの二次側のスペースを広くして、二次側光コネクタの切換作業を容易にする。【解決手段】  導入光ケーブル１５から引き出した光ファイバ１５ａ、１５ｂは光分岐器１７により複数本の一次側光ファイバ２０ａに光分岐される。その先端の一次側光コネクタ２１と、光ドロップケーブル３１に融着接続された二次側光ファイバ２９ａの先端の二次側光コネクタ２７とは、コネクタ結合用アダプタ２５にて光コネクタ接続される。筐体３５に、光分岐器１７から一次側光ファイバ２０ａの先端の一次側光コネクタ２１に到る部分及びコネクタ結合用アダプタ２５を設けて、カプラモジュール６としてモジュール化する。導入光ケーブル１５から引き出した光ファイバ１５ａ、１５ｂと光分岐器１７の入力側の光ファイバ１８との融着接続部は別に一次側の光接続部収納トレイに収納する。コネクタ結合用アダプタ２５を従来より左側に配置することができ、二次側のスペースが広くなり、コネクタ切換の作業性が向上する。【選択図】  図４
2006098611.tif 000002
【特許請求の範囲】
【請求項１】
導入光ケーブルから引き出した光ファイバを光分岐器により複数本の一次側光ファイバに光分岐させ、光分岐後の各一次側光ファイバに取り付けた一次側光コネクタと、複数本の分岐側光ケーブルの各光ファイバに光接続された二次側光ファイバに取り付けた二次側光コネクタとを、コネクタ挿入口が接続箱本体左右の向きをなすコネクタ結合用アダプタにて光コネクタ接続する壁取付型の光分岐接続箱であって、
導入光ケーブルから引き出した光ファイバと光分岐器の入力側の光ファイバとの光接続部を一次側の光接続部収納トレイに収納し、前記コネクタ結合用アダプタを取り付けた筐体を接続箱本体に固定し、前記筐体内に前記光分岐器と光分岐後の各一次側光ファイバとを収容しかつ前記一次側光コネクタを前記コネクタ結合用アダプタに装着して、前記筐体と光分岐器と一次側光ファイバと一次側光コネクタとコネクタ結合用アダプタとからなるカプラモジュールを構成したことを特徴とする壁取付型光分岐接続箱。
【請求項２】
前記カプラモジュールの筐体を接続箱本体に、コネクタ結合用アダプタと反対側の蝶番を介して前面側に回転可能に取り付けたことを特徴とする請求項１記載の壁取付型光分岐接続箱。
【請求項３】
前記一次側の光接続部収納トレイを前記カプラモジュールの筐体の上面に配置したことを特徴とする請求項１記載の壁取付型光分岐接続箱。
【請求項４】
前記カプラモジュールの筐体に取り付けたコネクタ結合用アダプタの配列は、単心用アダプタが縦長に並ぶ縦型アダプタ配列であることを特徴とする請求項１記載の壁取付型光分岐接続箱。
【請求項５】
前記二次側光ファイバは、多心光ファイバ心線から複数本の単心光ファイバ心線に分離しそれぞれの先端に二次側光コネクタを取り付けたファンアウトコードの態様をなしていることを特徴とする請求項１記載の壁取付型光分岐接続箱。
【請求項６】
複数本の分岐側光ケーブルの各光ファイバと前記ファンアウトコードの多心光ファイバ心線の各光ファイバとの光接続部を二次側の光接続部収納トレイ内に収納したことを特徴とする請求項１記載の壁取付型光分岐接続箱。
【発明の詳細な説明】
【技術分野】
【０００１】
この発明は、光ファイバ心線の接続、ＰＯＮ分岐、コネクタ切替が可能な壁取付型光分岐箱に関する。
【背景技術】
【０００２】
従来、光ファイバ心線の接続、ＰＯＮ分岐（光ファイバ網の途中で一本のファイバーから複数の加入者宅に光ファイバを引き込むための光分岐）、コネクタ切換が可能な壁取付型光分岐箱として、図６〜図１０に示すような壁取付型光分岐接続箱がある。
【０００３】
これらの図において、５１は壁取付型光分岐接続箱、２は接続箱本体、３は蓋体である。接続箱本体２の下方部分に導入光ケーブル固定金具４、保留心線収納シート５が設けられている。
接続箱本体２の左側のやや上寄りに一次側光接続部収納トレイ５７が取り付けられている。
接続箱本体２の右側のやや上寄りに二次側の光接続部収納トレイ１０が取り付けられ、接続箱本体２の下方部分に分岐光ケーブル固定金具１１が取り付けられている。
導入光ケーブル１５は、前記ケーブル固定金具４で接続箱本体２に固定される。図示例は、導入光ケーブル１５から２本の単心光ファイバ心線１５ａ、１５ｂを引き出して光分岐させる場合である。１５ｃは保留心線である。
上記のように、図示例の壁取付型光分岐接続箱（以下、場合により単に光分岐接続箱という）５１は、左側部分が一次側配線部９１、右側部分が二次側配線部９２となっている。
【０００４】
上記の光分岐接続箱５１における光分岐配線を図１０に示す。導入光ケーブル１５から引き出された２本の単心光ファイバ心線１５ａ、１５ｂはそれぞれ光分岐器（スプリッタ）６７によりそれぞれ１６本（合計３２本）の一次側光ファイバに光分岐している。各光分岐器６７の入力側の光ファイバ６８と前記各光ファイバ１５ａ、１５ｂとは融着接続される（図１０で融着接続部６９を×印で示す）。従来は前記融着接続部６９及び光分岐器６７が一次側光接続部収納トレイ５７に収納されている。
１つの光分岐器６７で光分岐された１６本の一次側光ファイバは、光分岐器６７から出た部分では４本の４心光ファイバテープ７０である。７８はファンアウトコードである。このファンアウトコード７８は、４心光ファイバテープ７９を分離部８０にて４本の一次側光ファイバ（図示例は光ファイバコード）７９ａに分離し、各一次側光ファイバ７９ａの先端に一次側光コネクタ７１（ＳＣコネクタ）を取り付けた構成である。
前記光分岐器６７から出た４心光ファイバテープ７０とファンアウトコード７８側の４心光ファイバテープ７９とは４心一括で融着接続（図１０で融着接続部８２を×印で示す）されている。２箇所の融着接続部８２が１つの一次側光接続部収納トレイ６０に収納されている。一次側光接続部収納トレイ６０は４つあり、一次側配線部９１側には６つの光接続部収納トレイ５７、６０が用いられている。以上が一次側配線部９１である。
【０００５】
２８は二次側のファンアウトコードである。ファンアウトコード２８は、一次側のファンアウトコード７８と同様に、４心光ファイバテープ２９を分離部３０にて４本の二次側光ファイバ（図示例は光ファイバコード）２９ａに分離し、各二次側光ファイバ２９ａの先端に二次側光コネクタ２７（ＳＣコネクタ）を取り付けた構成である。
【０００６】
７５はコネクタ結合用アダプタである。このコネクタ結合用アダプタ７５は、一次側光コネクタ７１と二次側光コネクタ２７とを、両側のコネクタ挿入口から嵌入させて、両者を光コネクタ接続させるものであるが、従来のコネクタ結合用アダプタ７５は、一次側光接続部収納トレイ５７と二次側光接続部収納トレイ１０との中間位置、すなわち接続箱本体２の幅方向中央位置に設置していた。従来の光分岐接続箱５１では、一次側の光接続部収納トレイ５７も二次側の光接続部収納トレイ１０と同じ構造のものを用い、かつ、一次側も二次側も同様なファンアウトコード７８、２８を用いているので、結果的に前記の通り、コネクタ結合用アダプタ７５が接続箱本体２の幅方向中央に位置するものとなっていた。
また、コネクタ結合用アダプタ７５は図７、図８に示すように２心用アダプタであり、従来はこの２心用アダプタ７５を奥行き方向に２つ並べた横型アダプタ配列とし、奥行き方向の４つのコネクタ挿入口が８段に配置される４列８段（合計３２個）のアダプタ配列としていた。
【０００７】
一次側配線部９１において、一次側の光接続部収納トレイ５７、６０は、接続箱本体２に取り付けた台枠８７に取り付けられている。一次側のファンアウトコード７８の一次側光ファイバ７９ａの先端の一次側光コネクタ７１は、コネクタ結合用アダプタ７５に嵌入される。ファンアウトコード７８の分離部８０は前記台枠８７内に収容される。８７ａは台枠８７における分離部収容部を示す。
二次側配線部９２において、二次側の光接続部収納トレイ１０は、接続箱本体２に取り付けた台枠３７に４列に取り付けられている。ファンアウトコード２８の二次側光ファイバ２９ａの先端の二次側光コネクタ２７は、コネクタ結合用アダプタ７５に嵌入される。ファンアウトコード２８の分離部３０は前記台枠３７内に収容される。３７ａは台枠３７における分離部収容部を示す。
【発明の開示】
【発明が解決しようとする課題】
【０００８】
上記の光分岐接続箱５１において、導入光ケーブル１５の成端後は、コネクタ切換はほぼ二次側で行うことになる。すなわち、ファンアウトコード２８の二次側光ファイバ２９ａの先端の二次側光コネクタ２７をコネクタ結合用アダプタ７５に対して着脱するコネクタ切換作業が必要となる。また、ファンアウトコード２８の４心光ファイバテープ２９自体を切断して、光ドロップケーブル３１との再融着接続の作業が必要となる場合もある。
しかし、従来の光分岐接続箱５１では、コネクタ結合用アダプタ７５が接続箱本体２の中央に配置されているので、このコネクタ結合用アダプタ７５の二次側のスペースＳ’（図５参照）が狭く、二次側光コネクタ２７の切換作業の作業性が悪いという問題があった。また、ファンアウトコード２８自体を切断して、光ドロップケーブル３１との再融着接続を行う場合の作業もしにくくなる。
【０００９】
本発明は上記従来の欠点を解消するためになされたもので、二次側光コネクタの切換作業が容易であり、かつ、二次側のファンアウトコードの融着接続の作業性も向上させることができる壁取付型光分岐接続箱を提供することを目的とする。
【課題を解決するための手段】
【００１０】
上記課題を解決する本発明は、導入光ケーブルから引き出した光ファイバを光分岐器により複数本の一次側光ファイバに光分岐させ、光分岐後の各一次側光ファイバに取り付けた一次側光コネクタと、複数本の分岐側光ケーブルの各光ファイバに光接続された二次側光ファイバに取り付けた二次側光コネクタとを、コネクタ挿入口が接続箱本体左右の向きをなすコネクタ結合用アダプタにて光コネクタ接続する壁取付型の光分岐接続箱であって、
導入光ケーブルから引き出した光ファイバと光分岐器の入力側の光ファイバとの光接続部を一次側の光接続部収納トレイに収納し、前記コネクタ結合用アダプタを取り付けた筐体を接続箱本体に固定し、前記筐体内に前記光分岐器と光分岐後の各一次側光ファイバとを収容しかつ前記一次側光コネクタを前記コネクタ結合用アダプタに装着して、前記筐体と光分岐器と一次側光ファイバと一次側光コネクタとコネクタ結合用アダプタとからなるカプラモジュールを構成したことを特徴とする。
【００１１】
請求項２は、請求項１記載の壁取付型光分岐接続箱において、カプラモジュールの筐体を接続箱本体に、コネクタ結合用アダプタと反対側の蝶番を介して前面側に回転可能に取り付けたことを特徴とする。
【００１２】
請求項３は、請求項１記載の壁取付型光分岐接続箱において、一次側の光接続部収納トレイを前記カプラモジュールの筐体の上面に配置したことを特徴とする。
【００１３】
請求項４は、請求項１記載の壁取付型光分岐接続箱において、カプラモジュールの筐体に取り付けたコネクタ結合用アダプタの配列が、単心用アダプタが縦長に並ぶ縦型アダプタ配列であることを特徴とする。
【００１４】
請求項５は、請求項１記載の壁取付型光分岐接続箱において、二次側光ファイバが、多心光ファイバ心線から複数本の単心光ファイバ心線に分離しそれぞれの先端に二次側光コネクタを取り付けたファンアウトコードの態様をなしていることを特徴とする。
【００１５】
請求項６は、請求項１記載の壁取付型光分岐接続箱において、複数本の分岐側光ケーブルの各光ファイバと前記ファンアウトコードの多心光ファイバ心線の各光ファイバとの光接続部を二次側の光接続部収納トレイ内に収納したことを特徴とする。
【発明の効果】
【００１６】
本発明によれば、光分岐器から一次側光ファイバの先端の一次側光コネクタに到る部分及び一次側光コネクタが嵌入されるコネクタ結合用アダプタがカプラモジュールとしてモジュール化されているので、コネクタ結合用アダプタの位置を、従来と比較して接続箱本体の幅方向の側方（通常は左方）に移動させることができる。これにより接続箱本体の幅方向中央位置に広いスペースを設けることができる。
したがって、二次側光ファイバの先端の二次側光コネクタをコネクタ結合用アダプタに対して着脱するコネクタ切換の作業性が向上する。また、二次側光ファイバと分岐側光ケーブルの光ファイバとの融着接続の作業性も向上する。
【００１７】
また、一次側がカプラモジュールとしてモジュール化されていることで、そして、このモジュール化は工場で既に行われているので、現場で行う一次側の作業は、導入光ケーブルと光分岐器の単心側光ファイバ心線との融着接続のみとなり、現場での作業が大幅に簡略化される。
【発明を実施するための最良の形態】
【００１８】
以下、本発明を実施した壁取付型光分岐接続箱について、図面を参照して説明する。
【実施例１】
【００１９】
図１は本発明の一実施例の壁取付型光分岐接続箱の正面図、図２は図１の要部の平面図、図３は図１における要部の拡大Ａ矢視図である。図４は図１の壁取付型光分岐接続箱で光分岐接続を行った状態を示す図で、一次側光接続部収納トレイを除いて示している。図５は図４の光分岐接続状態を説明する光配線図である。
【００２０】
これらの図において、１は壁取付型光分岐接続箱、２は接続箱本体、３は蓋体である。接続箱本体２の下方部分に導入光ケーブル固定金具４、保留心線収納シート５が設けられている。
接続箱本体２の左側のやや上寄りに詳細は後述するカプラモジュール６が取り付けられ、このカプラモジュール６の前面に一次側の光接続部収納トレイ７が取り付けられている。
接続箱本体２の右側のやや上寄りに二次側の光接続部収納トレイ１０が取り付けられ、接続箱本体２の下方部分に分岐光ケーブル固定金具１１、上方部分にファンアウトコード保持金具１２が取り付けられている。
導入光ケーブル１５は、前記ケーブル固定金具４で接続箱本体２に固定される。この実施例は、導入光ケーブル１５から２本の単心光ファイバ心線１５ａ、１５ｂを引き出して光分岐させる場合である。１５ｃは保留心線である。導入光ケーブル１５はテープスロット型ケーブル、又は多心ドロップケーブルである。
上記のように、実施例の壁取付型光分岐接続箱（以下、場合により単に光分岐接続箱という）１は、左側部分が一次側配線部４１、右側部分が二次側配線部４２となっている。
【００２１】
上記の光分岐接続箱１における光分岐配線を図５に示す。導入光ケーブル１５から引き出された２本の単心光ファイバ心線１５ａ、１５ｂはそれぞれ光分岐器（スプリッタ）１７によりそれぞれ１６本（合計３２本）の一次側光ファイバ２０ａに光分岐している。各光分岐器１７の入力側の光ファイバ１８と前記各光ファイバ１５ａ、１５ｂとは融着接続される（図５で融着接続部１９を×印で示す）。
１つの光分岐器１７で光分岐された１６本の一次側光ファイバ２０ａは、光分岐器１７から出た部分では４本の４心光ファイバテープ２０であり、各４心光ファイバテープ２０をそれぞれ４本に裂いて１６本の一次側光ファイバ２０ａとなる。一次側光ファイバ２０ａの先端にそれぞれ一次側光コネクタ２１（ＳＣコネクタ）が取り付けられている。図示例では一次側光ファイバ２０ａに保護チューブ２２を被せている。以上が一次側配線部４１である。
【００２２】
２５はコネクタ結合用アダプタで、このコネクタ結合用アダプタ２５は、一次側光コネクタ２１と二次側光コネクタ２７（ＳＣコネクタ）とを、両側のコネクタ挿入口から嵌入させて、両者を光コネクタ接続させるもので、３２本の一次側光ファイバ２０ａに対応して３２個備えている。
【００２３】
二次側光ファイバ２９ａはファンアウトコード２８の態様で設けられている。すなわち、４心光ファイバテープ２９を分離部３０にて４本の二次側光ファイバ（図示例は光ファイバコード）２９ａに分離し、各二次側光ファイバ２９ａの先端に前記二次側光コネクタ２７を取り付けてファンアウトコード２８を構成している。図５は３２本の一次側光ファイバ２０ａのすべてに二次側光ファイバ２９ａを接続する場合を示し、したがって、４本の二次側光ファイバ２９ａを持つファンアウトコード２８が８本用いられる。図５にファンアウトコード２８の部分（範囲）を矢印（２８）で示す。
ファンアウトコード２８の４心光ファイバテープ２９は、４心の光ドロップケーブル（分岐側光ケーブル）３１に４心一括で融着接続される（図５で融着接続部３２を×印で示す）。その４心一括の融着接続部３２は前述の二次側の光接続部収納トレイ１０内に収納されるが、１つの光接続部収納トレイ１０に２つの４心一括融着接続部３２が収納される。各光ドロップケーブル３１は分岐側光ケーブル保持金具１１で保持される。
【００２４】
前記一次側の光接続部収納トレイ７は、図１に示すように、導入光ケーブル１５から引き出した２本の光ファイバ１５ａ、１５ｂと２つの光分岐器１７の各入力側の光ファイバ１８との２つの融着接続部（光接続部）１９を収納している。
【００２５】
前記カプラモジュール６の筐体３５は接続箱本体２にネジ３６で固定され、前記光接続部収納トレイ７は筐体３５の蓋３５ａに取り付けられている。光接続部収納トレイ７から出た光ファイバ１８はカプラモジュール６の筐体３５の蓋３５ａに設けた切欠き３５ｂを通ってカプラモジュール６の筐体３５内に入る。
カプラモジュール６は、図４に示すように、２つの光分岐器１７及び４心光ファイバテープ２０の状態を含む一次側光ファイバ２０ａ及びその先端の一次側光コネクタ２１に到る部分（すなわち従来例における光分岐器からファンアウトコードの一次側光コネクタに到る部分に対応する部分）を収容し、かつ、筐体３５の接続箱本体中央側の側壁３５ｃに前記コネクタ結合用アダプタ２５を取り付けている。そして、各一次側光コネクタ２１は各コネクタ結合用アダプタ２５に嵌入されている。
カプラモジュール６の筐体３５の幅寸法（図１の左右方向の寸法）は、内部の光分岐器１７の配置及び光ファイバ収納等に必要な空間を確保できる範囲で極力狭くされており、側壁部３５ｃに取り付けたコネクタ結合用アダプタ２５の位置が極力左方に位置するようにしている。
これにより、コネクタ結合用アダプタ２５と二次側配線部４２の二次側光接続部収納トレイ１０等との間に広いスペース（図１にＳで示す部分）を確保している。
コネクタ結合用アダプタ２５は、図６の従来の光分岐接続箱におけるコネクタ結合用アダプタと比較して左方に移動しており、接続箱本体中央部、すなわちコネクタ結合用アダプタ２５と二次側光接続部収納トレイ１０等との間のスペースがかなり広くなっている。
【００２６】
前記コネクタ結合用アダプタ２５の配列は、実施例では、図２、図３にも示すように、単心用アダプタ（コネクタ結合用アダプタ２５）が縦長に並ぶ縦型アダプタ配列であり、この単心用アダプタ２５を奥行き方向に２つ並べて、奥行き方向の２つのコネクタ挿入口が１６段に配置される２列１６段（合計３２個）のアダプタ配列である。
また、実施例のカプラモジュール６は図２に示すように、筐体３５を接続箱本体２に、コネクタ結合用アダプタ２５と反対側の蝶番３９を介して前面側に開くことが可能（回転可能）に取り付けている。これにより、コネクタ切換時の作業性が向上する。
【００２７】
二次側配線部４２において、前記二次側の光接続部収納トレイ１０は、接続箱本体２に取り付けた台枠３７に４段に取り付けられている。ファンアウトコード２８の二次側光ファイバ２９ａの先端の二次側光コネクタ２７は、カプラモジュール６のコネクタ結合用アダプタ２５に嵌入される。ファンアウトコード２８の分離部３０は前記台枠３７内に収容される。３７ａは台枠３７における分離部収容部を示す。
【００２８】
上記の光分岐接続箱１において、導入光ケーブル１５の成端後は、コネクタ切換はほぼ二次側で行うことになる。すなわち、ファンアウトコード２８の二次側光ファイバ２９ａの先端の二次側光コネクタ２７をコネクタ結合用アダプタ２５に対して着脱するコネクタ切換作業が必要となる。また、ファンアウトコード２８の４心光ファイバテープ２９と光ドロップケーブル３１との融着接続の作業等が必要となる場合もある。
上記の光分岐接続箱１では、一次側配線部４１における光分岐器１７から一次側光コネクタ２１に到る部分及びコネクタ結合用アダプタ２５がカプラモジュール６としてモジュール化され、コネクタ結合用アダプタ２５の位置が、従来と比較して接続箱本体の左側に移動しているので、接続箱本体２の幅方向中央部に広いスペースＳが確保される。なお、具体的寸法例を述べると、横幅寸法３９０ｍｍの接続箱本体２において、コネクタ結合用アダプタ２５の二次側の位置を従来の光分岐接続箱５１におけるコネクタ結合用アダプタ７５の二次側の位置と比較して４３ｍｍ左に移動させることができた。
したがって、二次側光ファイバ２９ａの先端の二次側光コネクタ２７をコネクタ結合用アダプタ２５に対して着脱するコネクタ切換の作業性を向上させることができた。また、ファンアウトコード２８の４心光ファイバテープ２９と光ドロップケーブル３１との融着接続（二次側光ファイバと分岐側光ケーブルの光ファイバとの融着接続）の作業をし易くなる。
【００２９】
また、一次側配線部４１がカプラモジュール６としてモジュール化されていることで、そして、このモジュール化は工場で既に行われているので、現場で行う一次側の作業は、導入光ケーブル１５と光分岐器１７の入力側の光ファイバ心線１８との融着接続のみとなり、現場での作業が大幅に簡略化される。
また、この実施例ではカプラモジュール６のコネクタ結合用アダプタ２５の配列を、従来の横型アダプタ配列に対して縦型アダプタ配列とし、かつ、従来の４列配列に対して２列配列とされているので、奥行き寸法が小さくなっている。このため、モジュール化したことでコネクタ結合用アダプタ部分の奥行き寸法が増大することは避けられ、光分岐接続箱内に収まる構造となっている。
また、カプラモジュール６が蝶番３９により前面側に開く構造とされているので、コネクタ切換時の作業がし易くなり、作業性が向上する。
【実施例２】
【００３０】
上記実施例では、光加入者網において幹線系から光ドロップケーブルを引き落とすための壁取付型光分岐接続箱について説明したが、本発明はこれに限らず、種々の用途の壁取付型光分岐接続箱に適用可能である。
【図面の簡単な説明】
【００３１】
【図１】本発明の一実施例の壁取付型光分岐接続箱の正面図である。
【図２】図１の要部の平面図である。
【図３】図１における要部の拡大Ａ−Ａ矢視図である。
【図４】図１の壁取付型光分岐接続箱で光分岐接続を行った状態を示す図で、一次側光接続部収納トレイを除いて示している。
【図５】図４の光分岐接続状態を説明する光配線図である。
【図６】従来の壁取付型光分岐接続箱の正面図である。
【図７】図６の要部の平面図である。
【図８】図６における要部の拡大Ｂ−Ｂ矢視図である。
【図９】図６の壁取付型光分岐接続箱で光分岐接続を行った状態を示す正面図である。
【図１０】図９の光分岐接続状態を説明する光配線図である。
【符号の説明】
【００３２】
１  壁取付型光分岐接続箱
２  接続箱本体
３  蓋体
５  保留心線収納シート
６  カプラモジュール
７  一次側の光接続部収納トレイ
１０  二次側の光接続部収納トレイ
１１  ケーブル固定金具
１２  ファンアウトコード保持金具
１５  導入光ケーブル
１５ａ、１５ｂ  （導入光ケーブルから引き出した）光ファイバ心線
１５ｃ  保留光ファイバ心線
１７  光分岐器（スプリッタ）
１８  光ファイバ（  光分岐器の入力側の光ファイバ）
１９  融着接続部（光接続部  融着補強スリーブ）
２０  ４心光ファイバテープ
２０ａ  単心光ファイバ心線（光分岐後の各一次側光ファイバ）
２１  一次側光コネクタ
２２  保護チューブ
２５  コネクタ結合用アダプタ
２７  二次側光コネクタ
２８  ファンアウトコード
２９  ４心光ファイバテープ（ファンアウトコードの多心光ファイバ心線）
２９ａ  光ファイバ心線（二次側光ファイバ）
３１  分岐側光ケーブル
３２  融着接続部（光接続部）
３５  筐体
３５ａ  蓋
３５ｂ  切欠き
３６  ネジ
３７  台枠
３７ａ  分離部収容部
３９  蝶番
４１  一次側配線部
４２  二次側配線部
【図１】
2006098611.tif 000003
【図２】
2006098611.tif 000004
【図３】
2006098611.tif 000005
【図４】
2006098611.tif 000006
【図５】
2006098611.tif 000007
【図６】
2006098611.tif 000008
【図７】
2006098611.tif 000009
【図８】
2006098611.tif 000010
【図９】
2006098611.tif 000011
【図１０】
2006098611.tif 000012